(57)【要約】【課題】複数枚の原稿の画像を連続的に読み取る場合、１枚ずつ原稿の画像を読み取る場合のいずれにおいても原稿を適正な読取位置に導く、また配置する。【解決手段】画像読取装置４０は、原稿を搬送する搬送部７０と、原稿台５０ａと、原稿の画像を読み取る読取ユニット５０と、搬送部７０で搬送される原稿を所定の読取位置に案内するガイド部材８１と、原稿台５０ａに載置される原稿に上方から接触する原稿マット６０ａとを備え、読取ユニット５０が搬送部７０で搬送される原稿の画像を読み取るときにガイド部材８１を読取ユニット５０に接近させる、或いは原稿マット６０ａを読取ユニット５０から離隔させる第１読取モードと、読取ユニット５０が原稿台５０ａに載置された原稿の画像を読み取るときにガイド部材８１を読取ユニット５０から離隔させる、或いは原稿マット６０ａを読取ユニット５０に接近させる第２読取モードとを有する。【選択図】図２
2017152876.tif 000002
【特許請求の範囲】
【請求項１】
原稿を搬送する搬送部と、
原稿の画像を読み取らせるために上面に原稿が載置される原稿台と、
前記搬送部の下方に配置されて前記搬送部で搬送される原稿の画像と前記原稿台に載置された原稿の画像とを読み取る読取ユニットと、
前記読取ユニットに対して接近、離隔が可能であるとともに前記搬送部で搬送される原稿を所定の読取位置に案内するガイド部材と、
前記読取ユニットに対して接近、離隔が可能であるとともに前記原稿台に載置される原稿に上方から圧して接触する原稿マットと、
を備え、
前記読取ユニットが前記搬送部で搬送される原稿の画像を読み取るときに前記ガイド部材を前記読取ユニットに接近させる、或いは前記原稿マットを前記読取ユニットから離隔させる第１読取モードと、
前記読取ユニットが前記原稿台に載置された原稿の画像を読み取るときに前記ガイド部材を前記読取ユニットから離隔させる、或いは前記原稿マットを前記読取ユニットに接近させる第２読取モードと、
を有することを特徴とする画像読取装置。
【請求項２】
前記搬送部が前記ガイド部材を有するとともに前記読取ユニットに対して接近、離隔が可能であることを特徴とする請求項１に記載の画像読取装置。
【請求項３】
前記搬送部に対して送り出される原稿が積載される給紙トレイと、
前記給紙トレイに設けられて原稿の存在を検知するための原稿検知部とを備え、
前記原稿検知部が原稿の存在を検知した場合に第１読取モードに移行することを特徴とする請求項１または請求項２に記載の画像読取装置。
【請求項４】
下面に前記原稿マットが設けられるとともに前記原稿台の表面の開放、閉鎖が可能な開閉ユニットと、
前記開閉ユニットの開閉を検知するための開閉検知部とを備え、
前記開閉検知部が前記開閉ユニットの開放を検知した場合に第２読取モードに移行することを特徴とする請求項１〜請求項３のいずれかに記載の画像読取装置。
【請求項５】
前記読取ユニットに設けられて前記読取位置に移動可能であるとともに原稿の画像を読み取るために原稿に向けて照射される光を走査する走査部と、
前記走査部の前記読取位置への移動に連動して前記ガイド部材を前記読取ユニットに接近させる連動部と、
を備えることを特徴とする請求項１〜請求項４のいずれかに記載の画像読取装置。
【請求項６】
前記搬送部に設けられて原稿を搬送するための駆動部を備え、
前記駆動部が前記ガイド部材を前記読取ユニットに接近させることを特徴とする請求項１〜請求項５のいずれかに記載の画像読取装置。
【請求項７】
下面に前記原稿マットが設けられるとともに前記原稿台の表面の開放、閉鎖が可能な開閉ユニットと、
前記開閉ユニットによる前記原稿台の表面の開放、閉鎖に連動して上下方向に変位することで前記ガイド部材を前記読取ユニットから離隔させるレバー部材と、
を備えることを特徴とする請求項１〜請求項６のいずれかに記載の画像読取装置。
【請求項８】
前記ガイド部材及び前記原稿マットの初期位置が第１読取モード時の位置であることを特徴とする請求項１〜請求項７のいずれかに記載の画像読取装置。
【請求項９】
第１読取モードと第２読取モードとの使用頻度を記憶する記憶部を備え、
前記使用頻度に基づいて前記ガイド部材及び前記原稿マットの初期位置を設定することを特徴とする請求項１〜請求項７のいずれかに記載の画像読取装置。
【請求項１０】
下面に前記原稿マットが設けられるとともに前記原稿台の表面の開放、閉鎖が可能な開閉ユニットを備え、
前記開閉ユニットが、原稿搬送方向の一端側に配置された前記搬送部と、原稿搬送方向の他端側に配置された重り部材とを有することを特徴とする請求項１〜請求項９のいずれかに記載の画像読取装置。
【請求項１１】
下面に前記原稿マットが設けられるとともに前記原稿台の表面の開放、閉鎖が可能な開閉ユニットを備え、
前記搬送部が前記開閉ユニットの原稿搬送方向の一端側に配置され、前記原稿マットは原稿搬送方向の他端側から前記搬送部に近づくに従ってその厚みが薄くなることを特徴とする請求項１〜請求項９のいずれかに記載の画像読取装置。
【請求項１２】
請求項１〜請求項１１のいずれかに記載の画像読取装置を備えることを特徴とする画像形成装置。
【発明の詳細な説明】
【技術分野】
【０００１】
本発明は、画像読取装置及びその画像読取装置を備えた画像形成装置に関するものである。
【背景技術】
【０００２】
複写機やファクシミリなどの画像形成装置は原稿に印刷された画像を読み取ってその画像データを得るための画像読取装置を備える。画像読取装置は複数枚の原稿の画像を短時間で読み取るために原稿を自動的、連続的に所定の読取位置まで搬送する搬送部や、１枚ずつ原稿の画像を読み取るために上面に原稿が載置される原稿台を備える。
【０００３】
原稿台に載置された原稿の画像を正確に読み取るためには、原稿の全体を加圧して原稿台に密着させる必要がある。しかしながら、原稿台に対する原稿への圧力を高めると搬送部が読取位置に対して浮き上がってしまう虞がある。これにより、原稿を搬送しながらその画像を読み取る場合に原稿が読取位置に対して浮き上がり、画像不良や搬送不良が起きることが懸念されていた。このような問題を解決すべく提案された従来の画像読取装置の一例が特許文献１に開示されている。
【０００４】
特許文献１に記載された画像読取装置は１枚ずつ原稿の画像を読み取るために上面に原稿が載置される原稿載置台と、原稿を原稿載置台に押圧する押圧部材とを備える。そして、押圧部材は本体に浮動した状態で取り付けられる。これにより、読取位置と自動原稿搬送装置（搬送部）との位置関係を保った状態で原稿載置台に対して原稿の全体を好適に押圧することができる。
【先行技術文献】
【特許文献】
【０００５】
【特許文献１】特開２００７−３０９９６８号公報
【発明の概要】
【発明が解決しようとする課題】
【０００６】
特許文献１に記載された画像読取装置は原稿載置台に載置された原稿の画像を読み取る場合について好適となるよう配慮されているが、原稿を搬送しながらその画像を読み取る場合については十分な配慮がなされていない。このため、原稿を搬送しながらその画像を読み取る場合の読取位置に対する原稿の浮き上がりが好適に解消できない虞があるといった課題があった。したがって、画像不良や搬送不良が起きることが懸念された。また、特許文献１に記載の画像読取装置では、原稿搬送ユニットが厚くなる虞がある。そしてまた、１パス両面読み取り用ＣＩＳ（Contact Image Sensor）のメンテナンスやジャム処理用の扉が設置できない虞がある。
【０００７】
本発明は、上記の点に鑑みなされたものであり、複数枚の原稿の画像を連続的に読み取る場合、１枚ずつ原稿の画像を読み取る場合のいずれにおいても原稿を適正な読取位置に導く、また配置することが可能な画像読取装置及び画像形成装置を提供することを目的とする。
【課題を解決するための手段】
【０００８】
上記の課題を解決するため、本発明の画像読取装置は、原稿を搬送する搬送部と、原稿の画像を読み取らせるために上面に原稿が載置される原稿台と、前記搬送部の下方に配置されて前記搬送部で搬送される原稿の画像と前記原稿台に載置された原稿の画像とを読み取る読取ユニットと、前記読取ユニットに対して接近、離隔が可能であるとともに前記搬送部で搬送される原稿を所定の読取位置に案内するガイド部材と、前記読取ユニットに対して接近、離隔が可能であるとともに前記原稿台に載置される原稿に上方から圧して接触する原稿マットとを備え、前記読取ユニットが前記搬送部で搬送される原稿の画像を読み取るときに前記ガイド部材を前記読取ユニットに接近させる、或いは前記原稿マットを前記読取ユニットから離隔させる第１読取モードと、前記読取ユニットが前記原稿台に載置された原稿の画像を読み取るときに前記ガイド部材を前記読取ユニットから離隔させる、或いは前記原稿マットを前記読取ユニットに接近させる第２読取モードとを有することを特徴とする。
【０００９】
この構成によると、搬送部で搬送される原稿の画像を読み取るときに、原稿が読取ユニットに対して好適な位置を通過する。また、原稿台に載置された原稿の画像を読み取るときに、好適な圧力が加えられて原稿が原稿台に接触する。これらにより、複数枚の原稿の画像を連続的に読み取る場合、１枚ずつ原稿の画像を読み取る場合のいずれにおいても原稿が適正な読取位置に導かれる、また配置される。
【００１０】
また、上記構成の画像読取装置において、前記搬送部が前記ガイド部材を有するとともに前記読取ユニットに対して接近、離隔が可能であることを特徴とする。
【００１１】
また、上記構成の画像読取装置において、前記搬送部に対して送り出される原稿が積載される給紙トレイと、前記給紙トレイに設けられて原稿の存在を検知するための原稿検知部とを備え、前記原稿検知部が原稿の存在を検知した場合に第１読取モードに移行することを特徴とする。
【００１２】
また、上記構成の画像読取装置において、下面に前記原稿マットが設けられるとともに前記原稿台の表面の開放、閉鎖が可能な開閉ユニットと、前記開閉ユニットの開閉を検知するための開閉検知部とを備え、前記開閉検知部が前記開閉ユニットの開放を検知した場合に第２読取モードに移行することを特徴とする。
【００１３】
また、上記構成の画像読取装置において、前記読取ユニットに設けられて前記読取位置に移動可能であるとともに原稿の画像を読み取るために原稿に向けて照射される光を走査する走査部と、前記走査部の前記読取位置への移動に連動して前記ガイド部材を前記読取ユニットに接近させる連動部とを備えることを特徴とする。
【００１４】
また、上記構成の画像読取装置において、前記搬送部に設けられて原稿を搬送するための駆動部を備え、前記駆動部が前記ガイド部材を前記読取ユニットに接近させることを特徴とする。
【００１５】
また、上記構成の画像読取装置において、下面に前記原稿マットが設けられるとともに前記原稿台の表面の開放、閉鎖が可能な開閉ユニットと、前記開閉ユニットによる前記原稿台の表面の開放、閉鎖に連動して上下方向に変位することで前記ガイド部材を前記読取ユニットから離隔させるレバー部材とを備えることを特徴とする。
【００１６】
また、上記構成の画像読取装置において、前記ガイド部材及び前記原稿マットの初期位置が第１読取モード時の位置であることを特徴とする。
【００１７】
また、上記構成の画像読取装置において、第１読取モードと第２読取モードとの使用頻度を記憶する記憶部を備え、前記使用頻度に基づいて前記ガイド部材及び前記原稿マットの初期位置を設定することを特徴とする。
【００１８】
また、上記構成の画像読取装置において、下面に前記原稿マットが設けられるとともに前記原稿台の表面の開放、閉鎖が可能な開閉ユニットを備え、前記開閉ユニットが、原稿搬送方向の一端側に配置された前記搬送部と、原稿搬送方向の他端側に配置された重り部材とを有することを特徴とする。
【００１９】
また、上記構成の画像読取装置において、下面に前記原稿マットが設けられるとともに前記原稿台の表面の開放、閉鎖が可能な開閉ユニットを備え、前記搬送部が前記開閉ユニットの原稿搬送方向の一端側に配置され、前記原稿マットは原稿搬送方向の他端側から前記搬送部に近づくに従ってその厚みが薄くなることを特徴とする。
【００２０】
また、上記の課題を解決するため、本発明の画像形成装置は、上記構成の画像読取装置を備えることを特徴とする。
【発明の効果】
【００２１】
本発明の構成によれば、複数枚の原稿の画像を連続的に読み取る場合、１枚ずつ原稿の画像を読み取る場合のいずれにおいても原稿を適正な読取位置に導く、また配置することが可能な画像読取装置及び画像形成装置を提供することができる。また本発明の構成によれば、原稿搬送ユニットが厚くなることが抑えられ、１パス両面読み取り用ＣＩＳのメンテナンスやジャム処理用の扉を設置することもできる。
【図面の簡単な説明】
【００２２】
【図１】本発明の第１実施形態の画像形成装置の部分垂直断面正面図である。
【図２】本発明の第１実施形態の画像読取装置の垂直断面正面図である。
【図３】本発明の第１実施形態の画像読取装置の第１搬送読取部周辺を示す概略側面図である。
【図４】本発明の第１実施形態の画像読取装置の第２読取モード時の垂直断面正面図である。
【図５】本発明の第２実施形態の画像読取装置の原稿搬送ユニットの概略構成を示すブロック図である。
【図６】本発明の第２実施形態の画像読取装置による読取モード判別処理の例を示すフローチャートである。
【図７】本発明の第４実施形態の画像読取装置の概略垂直断面部分正面図である。
【図８】本発明の第５実施形態の画像読取装置の概略垂直断面部分正面図である。
【図９】本発明の第６実施形態の画像読取装置の第１読取モード時の概略垂直断面部分正面図である。
【図１０】本発明の第６実施形態の画像読取装置の第２読取モード時の概略垂直断面部分正面図である。
【図１１】本発明の第７実施形態の画像読取装置の概略垂直断面正面図である。
【図１２】本発明の第８実施形態の画像読取装置の概略垂直断面正面図である。
【発明を実施するための形態】
【００２３】
以下、本発明の実施形態を図に基づき説明する。なお、本発明は以下の内容に限定されるものではない。
【００２４】
＜第１実施形態＞
最初に、本発明の第１実施形態の画像形成装置について、図１を用いてその構造の概略を説明しつつ、画像出力動作を説明する。図１は画像形成装置の部分垂直断面正面図の一例である。なお、図中の矢印付き二点鎖線は用紙の搬送経路及び搬送方向を示す。また、図１の上下方向、左右方向及び紙面奥行き方向が画像形成装置の上下方向、左右方向及び奥行き方向である。
【００２５】
画像形成装置１は、図１に示すように所謂タンデム型のカラー複写機であり、原稿の画像を読み取るための画像読取装置４０と、読み取った画像を用紙等の転写材に印刷する印刷部３と、印刷条件の入力や稼働状況の表示を行うための操作部４と、主制御部５とを備える。
【００２６】
画像読取装置４０は読取ユニット５０及び原稿搬送ユニット６０を備え、画像形成装置１の上部に設けられる。画像読取装置４０は読取ユニット５０の上面に載置された１枚の原稿の画像を読み取る、また読取ユニット５０と原稿搬送ユニット６０とを利用して複数枚の原稿の画像を１枚ずつ自動的に読み取ることができる。原稿の画像は赤（Ｒ）、緑（Ｇ）、青（Ｂ）の三色に色分解され、後述するイメージセンサーで電気信号に変換される。これにより、画像読取装置４０は赤（Ｒ）、緑（Ｇ）、青（Ｂ）の色別の画像データを得る。画像読取装置４０の構成の詳細は後述する。
【００２７】
画像読取装置４０が原稿から得た色別の画像データは主制御部５において各種処理が行われ、イエロー（Ｙ）、マゼンタ（Ｍ）、シアン（Ｃ）、ブラック（Ｋ）の各再現色の画像データに変換されて主制御部５の内部の不図示のメモリーに格納される。メモリーに格納された再現色別の画像データは位置ずれ補正のための処理を受けた後、像担持体である感光体ドラム２１に対する光走査を行うために用紙の搬送と同期して走査ラインごとに読み出される。
【００２８】
印刷部３は電子写真方式によって画像を形成し、その画像を用紙等に転写する。印刷部３は中間転写体を無端状のベルトとして形成した中間転写ベルト１１を備える。中間転写ベルト１１は駆動ローラ１２、テンションローラ１３及び従動ローラ１４に巻き掛けられる。中間転写ベルト１１には、テンションローラ１３が不図示のバネによって図１における上方に付勢されることにより張力が与えられる。中間転写ベルト１１は駆動ローラ１２によって図１における反時計回りに回転移動する。
【００２９】
駆動ローラ１２は中間転写ベルト１１を挟んで対向する二次転写ローラ１５に圧して接触する。従動ローラ１４の箇所では、中間転写ベルト１１を挟んで従動ローラ１４に対向するように設けられた中間転写クリーニング部１６が中間転写ベルト１１の外周面に接触する。中間転写クリーニング部１６は中間転写ベルト１１の外周面に形成されたトナー像が用紙Ｐに転写された後、中間転写ベルト１１の外周面に残留したトナーなどの付着物を除去してクリーニングする。
【００３０】
中間転写ベルト１１の下方にはイエロー（Ｙ）、マゼンタ（Ｍ）、シアン（Ｃ）、ブラック（Ｋ）の各再現色に対応する画像形成部２０Ｙ、２０Ｍ、２０Ｃ、２０Ｋが設けられる。なおこの説明において、特に限定する必要がある場合を除き、「Ｙ」、「Ｍ」、「Ｃ」、「Ｋ」の識別記号の記載を省略して、例えば「画像形成部２０」と総称することがある。４台の画像形成部２０は中間転写ベルト１１の回転方向に沿って、回転方向の上流側から下流側に向けて一列にして配置される。４台の画像形成部２０は構成がすべて同じであり、図１における時計回りに回転する感光体ドラム２１を中心としてその周囲に帯電部、露光部、現像部、ドラムクリーニング部及び一次転写ローラを備える。
【００３１】
中間転写ベルト１１の上方には、４台の各再現色の画像形成部２０に対応するトナーボトル３１及びトナーホッパー３２が設けられる。現像部及びトナーホッパー３２に対しては各々の内部のトナーの残量を検出する不図示の残量検出部が設けられる。また、現像部とトナーホッパー３２との間及びトナーホッパー３２とトナーボトル３１との間には各々不図示のトナーの補給装置が設けられる。残量検出部によって現像部の内部のトナーの残量の低下が検出されると、補給装置がトナーホッパー３２から現像部にトナーを補給するように駆動する。さらに、残量検出部によってトナーホッパー３２の内部のトナーの残量の低下が検出されると、補給装置がトナーボトル３１からトナーホッパー３２にトナーを補給するように駆動する。トナーボトル３１は装置本体に対して着脱可能に設けられ、適宜新しいものと交換することができる。
【００３２】
４台の画像形成部２０の下方には用紙供給装置９１が設けられる。用紙供給装置９１はその内部に複数の用紙Ｐを積載して収容し、供給部９２によって用紙束の最上紙から順に用紙Ｐを１枚ずつ用紙搬送路Ｑに送り出す。用紙供給装置９１から用紙搬送路Ｑに送り出された用紙Ｐはレジストローラ対９４の箇所に到達する。そして、レジストローラ対９４が用紙Ｐの斜め送りを矯正（スキュー補正）しつつ中間転写ベルト１１の回転と同期をとって、中間転写ベルト１１と二次転写ローラ１５との接触部（二次転写ニップ部）に向けて用紙Ｐを送り出す。
【００３３】
画像形成部２０では帯電部及び露光部によって感光体ドラム２１の表面に静電潜像が形成され、その静電潜像が現像部によってトナー像として可視像化される。感光体ドラム２１の表面に形成されたトナー像は感光体ドラム２１が中間転写ベルト１１を挟んで一次転写ローラと対向する箇所において中間転写ベルト１１の外周面に一次転写される。そして、中間転写ベルト１１の回転とともに所定のタイミングで各画像形成部２０のトナー像が順次中間転写ベルト１１に転写されることにより、中間転写ベルト１１の外周面にはイエロー、マゼンタ、シアン、ブラックの４色のトナー像が重ね合わされたカラートナー像が形成される。
【００３４】
中間転写ベルト１１の外周面に一次転写されたカラートナー像はレジストローラ対９４により同期をとって送られてきた用紙Ｐに、中間転写ベルト１１と二次転写ローラ１５とが接触して形成される二次転写ニップ部にて転写される。
【００３５】
二次転写ニップ部の上方には定着部９５が備えられる。二次転写ニップ部にて未定着トナー像が転写された用紙Ｐは定着部９５へと送られて加熱ローラ及び加圧ローラに挟まれ、トナー像が加熱、加圧されて用紙Ｐに溶融定着される。定着部９５を通過した用紙Ｐは中間転写ベルト１１の上方に設けられた用紙排出部９６に排出される。
【００３６】
操作部４は画像形成装置１の上部の正面側に設けられる。操作部４は、例えばユーザーによる印刷に使用する用紙Ｐの種類やサイズ、拡大縮小、両面印刷の有無といった印刷条件などの設定の入力や、ファクシミリ送信におけるファックス番号や送信者名などの設定の入力を受け付ける。また、操作部４は、例えば装置の状態や注意事項、エラーメッセージなどを表示部４ｗに表示することによって、それらをユーザーに対して報知するための報知部としての役割も果たす。
【００３７】
また、画像形成装置１にはその全体の動作制御のため、不図示のＣＰＵや画像処理部、その他の図示しない電子部品で構成された主制御部５が設けられる。主制御部５は中央演算処理装置であるＣＰＵと画像処理部とを利用し、メモリーに記憶、入力されたプログラム、データに基づき画像読取装置４０や印刷部３などといった構成要素を制御して一連の画像形成動作、印刷動作を実現する。
【００３８】
続いて、画像形成装置１の画像読取装置４０の構成とその動作について、図２を用いて説明する。図２は画像読取装置４０の垂直断面正面図である。なお、図２における上下方向、左右方向及び紙面奥行き方向が画像形成装置１及び画像読取装置４０の上下方向、左右方向及び前後方向を示す。また、図２に記した矢印Ｘが原稿搬送方向を示し、矢印Ｙが原稿搬送方向に交差する原稿幅方向を示し、以下の図においても同様である。
【００３９】
画像読取装置４０は、図２に示すように画像形成装置本体の上部に設けられた読取ユニット５０と、画像形成装置本体の上面に載置された開閉ユニットである原稿搬送ユニット６０とを備える。
【００４０】
読取ユニット５０はコンタクトガラス５１、照明部５２、走査部５３、レンズ５４、イメージセンサー５５及び読取制御部５６を有する。
【００４１】
コンタクトガラス５１は読取ユニット５０の上面に設けられる。コンタクトガラス５１は搬送読取用コンタクトガラス５１ａと載置読取用コンタクトガラス５１ｂとを含む。なお、以下の説明において特に限定する必要がある場合を除き、これらを総じて「コンタクトガラス５１」と称する場合がある。
【００４２】
コンタクトガラス５１は比較的薄い平板状の透明ガラスで構成される。搬送読取用コンタクトガラス５１ａはその上方を通過する原稿の画像を主走査方向（原稿幅方向、図２の矢印Ｙ方向）に延びるライン単位で光走査できるように読取ユニット５０の前後方向（原稿幅方向）に比較的長く延びる矩形形状を成す。載置読取用コンタクトガラス５１ｂは原稿の表面全体を一度に光走査できるように読取ユニット５０の左右方向（原稿搬送方向、図２の矢印Ｘ方向）及び前後方向（原稿幅方向）に広く延びる矩形形状を成す。
【００４３】
原稿の画像を１枚ずつ個別に読み取らせる場合、原稿は載置読取用コンタクトガラス５１ｂの上面に読取面が下になるように広げて載置される。ゆえに、載置読取用コンタクトガラス５１ｂを原稿台５０ａと呼ぶことがある。
【００４４】
照明部５２はコンタクトガラス５１のすぐ下方に配置される。照明部５２は光源として例えばＬＥＤ（light emitting diode）を備える。また、導光板などを備えることにしても良い。照明部５２は原稿の読取面に向けて、すなわち上方に向けて光を照射する。
【００４５】
走査部５３はコンタクトガラス５１の下方に設けられ、第１移動体５３ａ、第２移動体５３ｂ、ワイヤ５３ｃ及び巻き取りドラム５３ｄを備える。
【００４６】
走査部５３の第１移動体５３ａは照明部５２を支持するとともに、第１ミラー５７ａを備える。第１ミラー５７ａは原稿の読取面で反射した照明部５２の反射光を受けて、さらに９０度の角度で略水平に方向転換させるべく所定の傾きが設定され、コンタクトガラス５１の下方に配置される。
【００４７】
走査部５３の第２移動体５３ｂは第２ミラー５７ｂと、第３ミラー５７ｃとを備える。第２ミラー５７ｂは第１移動体５３ａの第１ミラー５７ａが反射させた光を受けて、さらに９０度の角度で略垂直下方に方向転換させるべく所定の傾きが設定され、第１ミラー５７ａと略同じ高さに配置される。第３ミラー５７ｃは第２ミラー５７ｂが反射させた光を受けて、さらに９０度の角度で略水平に方向転換させるべく、第２ミラー５７ｂの略真下に配置される。
【００４８】
なお、第１移動体５３ａ及び第２移動体５３ｂに設けられた各ミラーは照明部５２同様、主走査方向（原稿幅方向、読取ユニット５０の前後方向）にコンタクトガラス５１と略同じ長さで延びる細長い形状で構成される。
【００４９】
ワイヤ５３ｃは第１移動体５３ａ及び第２移動体５３ｂに接続されるとともに、巻き取りドラム５３ｄに巻き掛けられる。不図示のモーターで巻き取りドラム５３ｄを回転させると、第１移動体５３ａ及び第２移動体５３ｂがコンタクトガラス５１の上面と平行に副走査方向（原稿搬送方向、読取ユニット５０の左右方向）に往復移動する。これにより、読み取りライン（照明部５２による照射位置）を副走査方向に移動させることができ、原稿の画像を１枚ずつ個別に読み取らせる場合に、原稿台５０ａの上面に広げて載置された原稿の読取面全体の画像を読み取ることができる。
【００５０】
読取ユニット５０が原稿台５０ａに載置された原稿の画像を読み取る場合を第２読取モードと呼ぶ。
【００５１】
レンズ５４及びイメージセンサー５５は読取ユニット５０の下部に設けられる。第２移動体５３ｂの第３ミラー５７ｃによって反射された、原稿の読取面からの反射光はレンズ５４に入射して集光される。レンズ５４はその反射光を光路の下流側に設けられたイメージセンサー５５の表面上に結像する。これにより、画像読取装置４０はイメージセンサー５５を用いてコンタクトガラス５１上の原稿の読取面の画像を画像データとして読み取ることができる。
【００５２】
なお、イメージセンサー５５は例えば固体撮像素子であるＣＣＤ（Charge Coupled Device）を画像読取装置４０の前後方向である主走査方向、すなわち図２における紙面奥行き方向（矢印Ｙ方向）に複数個直線状に一列にして配列されて構成される。イメージセンサー５５は入射光を電気信号に光電変換し、画像情報として出力する。そして、原稿の読取面をイメージセンサー５５で主走査方向に走査させ、走査部５３を駆動して照明部５２を副走査方向に走査させて得られる情報について読取制御部５６が画像処理を実行することにより、原稿の画像を画像データとして得ることが可能である。
【００５３】
読取制御部５６は処理回路やメモリー等のＩＣやその他の電子部品を含み、主制御部５から指令を受けて読取ユニット５０の動作を制御する制御部である。読取制御部５６は主制御部５からの制御指令に基づき走査部５３を駆動制御するとともに、イメージセンサー５５からの出力信号に対して画像処理を実行して画像データを出力する。このようにして、読取制御部５６は画像読取動作を実現する。
【００５４】
原稿搬送ユニット６０はコンタクトガラス５１（原稿台５０ａ）と対向する形でその上方に設けられる。原稿搬送ユニット６０はコンタクトガラス５１の表面全体をカバーする直方体形状を成すユニットである。
【００５５】
原稿搬送ユニット６０は読取ユニット５０の背面側に設けられた左右方向に略水平に延びる不図示の２箇所の支軸を中心として、読取ユニット５０に対して揺動可能に取り付けられる。これにより、原稿搬送ユニット６０はその正面側部分を自由端として上下に振るようにして揺動する開閉ユニットであって、原稿台５０ａの表面の開放、閉鎖が可能である。なお、図２は原稿搬送ユニット６０により原稿台５０ａの表面を閉鎖した状態を描いている。
【００５６】
原稿搬送ユニット６０の下面であって、閉鎖したときに原稿台５０ａに対向する一面には原稿背景部である原稿マット６０ａが設けられる。原稿マット６０ａは例えばスポンジ等の弾性部材を含んで表面が白色を成し、載置読取用コンタクトガラス５１ｂの全域をカバーする位置及び大きさを成す。原稿搬送ユニット６０で原稿台５０ａの表面を閉鎖したとき、原稿マット６０ａは原稿台５０ａに載置された原稿に上方から圧して接触し、その全面を均一に加圧するように密着して原稿を移動しないように保持する。
【００５７】
原稿搬送ユニット６０は原稿マット６０ａに加えて、給紙トレイ６１排紙トレイ６２及び搬送部７０を有する。
【００５８】
給紙トレイ６１は原稿搬送ユニット６０の上部に配置された原稿の載置部である。給紙トレイ６１には原稿を上方から載置して積み上げることができる。給紙トレイ６１は原稿搬送方向（原稿搬送ユニット６０の左右方向）の上流から下流に向かって、すなわち図２において右方から左方に向かって下る傾斜を有する。
【００５９】
給紙トレイ６１の原稿搬送方向下流部には原稿の押し上げ部６１ａが設けられる。押し上げ部６１ａは給紙トレイ６１の原稿載置面に沿った形状を成し、その上流端に設けられて原稿幅方向に延びる不図示の支軸を中心とし、下流端を自由端として垂直面内で回転可能にして設けられる。押し上げ部６１ａは原稿の供給時に、不図示のモーター等によって支軸を中心として回転されることで、給紙トレイ６１に積み上げられた原稿の下流端がその上方に配置された供給ローラ７２に接触するように上方に向かって付勢される。
【００６０】
搬送部７０は給紙トレイ６１の原稿搬送方向の下流端に原稿供給口７１と、供給ローラ７２とを備える。供給ローラ７２は給紙トレイ６１に積み上げられた原稿を最上紙から１枚ずつ分離して搬送部７０の内部へと供給し、搬送する。原稿供給口７１の下流側には搬送部７０の内部に向かって原稿搬送路７３が延びる。
【００６１】
原稿搬送路７３にはレジストローラ対７４が設けられる。レジストローラ対７４は原稿の斜め送りを矯正（スキュー補正）した後、原稿をさらに搬送方向下流へと送り出す。また、原稿搬送路７３の各所には搬送ローラ７５が設けられる。
【００６２】
原稿搬送路７３の、レジストローラ対７４の原稿搬送方向下流は原稿搬送ユニット６０の底面に到達し、この箇所に第１搬送読取部８０が設けられる。第１搬送読取部８０に送り込まれた原稿は原稿搬送路７３上をさらに下流側へ、すなわち図２において第１搬送読取部８０の箇所を左方から右方へと移動する最中に、その下方に設けられた読取ユニット５０で下側の面である第１面の画像データが読み取られる。
【００６３】
なお、第１搬送読取部８０の下方には搬送読取用コンタクトガラス５１ａが配置される。第１搬送読取部８０で原稿の画像を読み取る場合、照明部５２を支持する走査部５３の第１移動体５３ａが搬送読取用コンタクトガラス５１ａ（第１搬送読取部８０）の下方に移動し、イメージセンサー５５を用いて原稿の下側の面（第１面）の画像データが読み取られる。
【００６４】
読取ユニット５０が搬送部７０で搬送される原稿の画像を読み取る場合を第１読取モードと呼ぶ。
【００６５】
原稿搬送路７３の、第１搬送読取部８０の原稿搬送方向下流には第２搬送読取部７６が設けられる。なお、第２搬送読取部７６は不図示のコンタクトガラス、照明部及びイメージセンサーを含む。原稿の両面の画像データの読み取りが必要な場合、第２搬送読取部７６に送り込まれた原稿は原稿搬送路７３上をさらに下流側へ、すなわち図２において第２搬送読取部７６の箇所を左方から右方へと移動する最中に、その上方に設けられた第２搬送読取部７６で上側の面である第２面の画像データが読み取られる。
【００６６】
原稿搬送路７３の下流端には原稿排出口７７が設けられる。画像データの読み取りが済んだ原稿は原稿排出口７７から排紙トレイ６２に排出される。排紙トレイ６２は給紙トレイ６１のすぐ下方に備えられ、これらのトレイが上下二段にして構成される。排紙トレイ６２に排出された原稿は原稿搬送ユニット６０の正面側から取り出すことができる。
【００６７】
給紙トレイ６１と、排紙トレイ６２とは互いの原稿搬送方向を逆にして、すなわち図２において給紙トレイ６１は原稿を左方に向かって送り出し、排紙トレイ６２は原稿を左方から受け取る形にして構成される。これにより、原稿供給口７１から原稿排出口７７まで延びる原稿搬送路７３は、図２に示すようにＵ字状に湾曲した構成を横方向に傾けた形態で設けられる。そして、不図示の搬送制御部が原稿の搬送を制御する。
【００６８】
搬送制御部は処理回路やメモリー等のＩＣやその他の電子部品を含み、主制御部５から指令を受けて原稿搬送ユニット６０の動作を制御する。搬送制御部は主制御部５からの制御指令に基づき給紙トレイ６１に載置された原稿を押し上げ部６１ａ及び供給ローラ７２を駆動させて１枚ずつ分離して搬送部７０の内部に供給する。さらに、搬送制御部はレジストローラ対７４及び搬送ローラ７５を駆動させて第１搬送読取部８０及び第２搬送読取部７６でその画像データを読み取らせた後、排紙トレイ６２に排出する。このようにして、搬送制御部は原稿の搬送動作を実現する。
【００６９】
続いて、画像読取装置４０の第１搬送読取部８０周辺の詳細な構成と原稿の読取モードについて、図２に加えて図３及び図４を用いて説明する。図３は画像読取装置４０の第１搬送読取部８０周辺を示す概略側面図である。図４は画像読取装置４０の第２読取モード時の垂直断面正面図である。なお、先に説明した図２は画像読取装置４０の第１読取モード時の垂直断面正面図である。
【００７０】
第１搬送読取部８０は、図３に示すようにガイド部材８１、付勢部材８２、ガイド駆動部８３及び移動機構８４を備える。
【００７１】
ガイド部材８１は原稿幅方向（図３のＹ方向）の全域にわたって長手状を成して延びる略直方体形状を有する。ガイド部材８１はその下面の２箇所に突起部８１ａを備える。２箇所の突起部８１ａは原稿幅方向の両端部各々に配置される。突起部８１ａはガイド部材８１の下面から下方に向かって、すなわち搬送読取用コンタクトガラス５１ａに向かって所定長さで突出する。
【００７２】
ガイド部材８１が搬送読取用コンタクトガラス５１ａに接近した場合、突起部８１ａの先端である下端が搬送読取用コンタクトガラス５１ａに接触し、ガイド部材８１の下面は搬送読取用コンタクトガラス５１ａに接触しない。これにより、ガイド部材８１の下面と搬送読取用コンタクトガラス５１ａの上面との間に原稿搬送経路８５としての空間が形成される。
【００７３】
付勢部材８２はガイド部材８１の上方の２箇所に設けられる。２箇所の付勢部材８２は原稿幅方向の両端部各々に配置される。付勢部材８２は、例えば圧縮コイルばねから成り、ガイド部材８１を下方に向けて、すなわち搬送読取用コンタクトガラス５１ａに向けて付勢する。なお、付勢部材８２は圧縮コイルばねに限定されるわけではなく、ガイド部材８１を下方に向けて付勢できる部材であれば良く、例えば板バネやゴムなどの他の弾性部材に代えても良い。
【００７４】
ガイド駆動部８３及び移動機構８４はガイド部材８１を上下方向に移動させることができる。ガイド駆動部８３は例えばモーターで構成される。移動機構８４は例えばウォーム・ラック機構から成る。ガイド駆動部８３を一方に回転させると、移動機構８４介して付勢部材８２の弾性力に抗してガイド部材８１を上方に移動させることができる。一方、ガイド駆動部８３を他方に回転させると、付勢部材８２の弾性力の作用を利用してガイド部材８１を下方に移動させることができる。なお、ガイド部材８１の移動の駆動源はモーターに限定されるわけではなく、例えばソレノイドや他のアクチュエータを用いても良い。
【００７５】
このようにして、ガイド部材８１は読取ユニット５０の搬送読取用コンタクトガラス５１ａに対して接近、離隔が可能である。
【００７６】
第１読取モードでは、突起部８１ａの下端を搬送読取用コンタクトガラス５１ａに接触させることで、ガイド部材８１は搬送部７０で搬送される原稿を所定の読取位置、すなわち搬送読取用コンタクトガラス５１ａに近接した位置に案内することができる。なお、第１読取モードにおいて、突起部８１ａの下端が搬送読取用コンタクトガラス５１ａに接触すると、原稿搬送ユニット６０の筐体が原稿台５０ａに対して上方に移動する。このため、原稿マット６０ａが読取ユニット５０の原稿台５０ａから離隔する（図２参照）。
【００７７】
第２読取モードでは、図４に示すようにガイド部材８１を上方に移動させ、搬送読取用コンタクトガラス５１ａに対して離隔させる。これにより、原稿搬送ユニット６０全体に対して働く重力の作用により、原稿マット６０ａが読取ユニット５０の原稿台５０ａに接近し、さらに原稿台５０ａに載置される原稿に上方から圧して接触する。
【００７８】
このように、第１実施形態の画像読取装置４０によれば、第１読取モードにおいて搬送部７０で搬送される原稿の画像を読み取るときに、原稿が読取ユニット５０に対して好適な位置を通過する。また、第２読取モードにおいて原稿台５０ａに載置された原稿の画像を読み取るときに、好適な圧力が加えられて原稿が原稿台５０ａに接触する。これらにより、複数枚の原稿の画像を連続的に読み取る場合、１枚ずつ原稿の画像を読み取る場合のいずれにおいても原稿を適正な読取位置に導くことができ、また配置することができる。その結果、原稿の画像を正確に読み取ることが可能な画像読取装置４０及び画像形成装置１を提供することができる。
【００７９】
なお、原稿マット６０ａに対して駆動源と移動機構とを設けて、第１読取モードにおいて原稿マット６０ａを読取ユニット５０の原稿台５０ａから離隔させ、第２読取モードにおいて原稿マット６０ａを読取ユニット５０の原稿台５０ａに接近させることにしても良い。この場合においても、上記実施形態と同様の効果を得ることが可能である。
【００８０】
また、ガイド部材８１が読取ユニット５０に対して接近、離隔が可能であることに代えて、搬送部７０や原稿搬送ユニット６０が読取ユニット５０に対して接近、離隔が可能であることにしても良い。
【００８１】
また、ガイド部材８１及び原稿マット６０ａは、電源ＯＮ時やスリープモード時などの初期位置（デフォルト位置）が第１読取モード時の位置であることが好ましい。原稿マット６０ａは原稿の全面を均一に加圧するために例えばスポンジ等の弾性部材を含むので、常に圧力が加わった状態で放置すると変形する虞がある。第１読取モード時、原稿マット６０ａは原稿台５０ａから離隔するので、原稿マット６０ａの変形を防止することが可能である。
【００８２】
＜第２実施形態＞
次に、本発明の第２実施形態の画像読取装置について、図５及び図６を用いて説明する。図５は画像読取装置の原稿搬送ユニットの概略構成を示すブロック図である。図６は画像読取装置による読取モード判別処理の例を示すフローチャートである。なお、この実施形態の基本的な構成は先に説明した第１実施形態と同じであるので、第１実施形態と共通する構成要素には前と同じ名称、同じ符号を付してその詳細な説明を省略する場合がある。
【００８３】
第２実施形態の画像読取装置４０は、図５に示すように原稿搬送ユニット６０が搬送制御部６３、ローラ駆動部６４、押上駆動部６５、原稿検知部６６、開閉検知部６７及びガイド駆動部８３を備える。
【００８４】
搬送制御部６３は処理回路であるＣＰＵ６３ａや記憶部６３ｂ等のＩＣやその他の電子部品を含み、主制御部５から指令を受けて原稿搬送ユニット６０の動作を制御する。搬送制御部６３は原稿検知部６６、開閉検知部６７から原稿の存在やサイズ、原稿搬送ユニット６０の開閉に係る情報を受信するとともに、ローラ駆動部６４、押上駆動部６５に原稿の搬送に係る制御信号を送信する。
【００８５】
ローラ駆動部６４は例えばモーターで構成され、搬送部７０に設けられる。ローラ駆動部６４は搬送制御部６３から受信した制御信号に基づき、搬送部７０の供給ローラ７２、レジストローラ対７４及び搬送ローラ７５を回転駆動させて原稿を搬送する。
【００８６】
押上駆動部６５は例えばモーターで構成され、搬送部７０に設けられる。押上駆動部６５は搬送制御部６３から受信した制御信号に基づき、給紙トレイ６１の押し上げ部６１ａを昇降駆動させて給紙トレイ６１に積載された原稿を原稿搬送路７３へと送り出す。
【００８７】
原稿検知部６６は給紙トレイ６１に設けられる。原稿検知部６６は例えば給紙トレイ６１に積載された原稿に向かって光を照射し、その反射光を受光する光センサーから成る。原稿検知部６６は給紙トレイ６１に積載された原稿の存在やサイズ等を検知する。原稿検知部６６は原稿の存在やサイズ等の検知信号を搬送制御部６３に送信する。
【００８８】
開閉検知部６７は原稿搬送ユニット６０の下部近傍に設けられる。開閉検知部６７は例えば読取ユニット５０に向かって光を照射し、その反射光を受光する光センサーから成る。開閉検知部６７は原稿台５０ａの表面に対する原稿搬送ユニット６０の開閉を検知する。開閉検知部６７は原稿搬送ユニット６０の開閉の検知信号を搬送制御部６３に送信する。
【００８９】
画像読取装置４０が読取モード判別処理を開始すると（図６のスタート）、ステップ＃１０１において搬送制御部６３が開閉検知部６７からの情報に基づいて原稿搬送ユニット６０が開放されているか否かを判定する。原稿搬送ユニット６０が開放されていない場合はステップ＃１０２に移行する。原稿搬送ユニット６０が開放されている場合はステップ＃１０４に移行する。
【００９０】
ステップ＃１０２では搬送制御部６３が原稿検知部６６からの情報に基づいて給紙トレイ６１に原稿が存在するか否かを判定する。給紙トレイ６１に原稿が存在しない場合はステップ＃１０１に戻る。給紙トレイ６１に原稿が存在する場合はステップ＃１０３に移行する。
【００９１】
ステップ＃１０３では搬送制御部６３が第１読取モードを認識し、ガイド駆動部８３に制御信号を送信してガイド部材８１を下方に移動させ、読取ユニット５０の搬送読取用コンタクトガラス５１ａに接近させる。或いは、搬送制御部６３は原稿マット６０ａを読取ユニット５０の原稿台５０ａから離隔させる。
【００９２】
ステップ＃１０４では搬送制御部６３が第２読取モードを認識し、ガイド駆動部８３に制御信号を送信してガイド部材８１を上方に移動させ、搬送読取用コンタクトガラス５１ａから離隔させる。或いは、搬送制御部６３は原稿マット６０ａを原稿台５０ａに接近させる。
【００９３】
第２実施形態の画像読取装置４０によれば、原稿搬送ユニット６０の開放や原稿の存在に基づいて第１読取モードまたは第２読取モードの判別を行うことが可能である。したがって、自動的に、複数枚の原稿の画像を連続的に読み取る場合、１枚ずつ原稿の画像を読み取る場合のいずれにおいても原稿を適正な読取位置に導くことができ、また配置することができる。
【００９４】
＜第３実施形態＞
次に、本発明の第３実施形態の画像読取装置について、図５を用いて説明する。なお、この実施形態の基本的な構成は先に説明した第１及び第２の実施形態と同じであるので、それら実施形態と共通する構成要素には前と同じ名称、同じ符号を付してその詳細な説明を省略する場合がある。
【００９５】
第３実施形態の画像読取装置４０は、図５に示す記憶部６３ｂが第１読取モードと第２読取モードとのこれまでの使用頻度を記憶する。なお、第１読取モードと第２読取モードとの使用頻度を記憶する記憶部は搬送制御部６３に対して個別に設けても良いし、読取ユニット５０やその他の場所に設けても良い。
【００９６】
そして、画像読取装置４０は記憶部６３ｂに記憶された第１読取モードと第２読取モードとの使用頻度に基づいてガイド部材８１及び原稿マット６０ａの初期位置を設定する。
【００９７】
第３実施形態の画像読取装置４０によれば、ガイド部材８１及び原稿マット６０ａの電源ＯＮ時やスリープモード時などの初期位置（デフォルト位置）を自動的に設定することができる。したがって、例えば使用頻度が比較的高い読取モードで迅速に画像読取装置４０の動作を開始することが可能である。
【００９８】
＜第４実施形態＞
次に、本発明の第４実施形態の画像読取装置について、図７を用いて説明する。図７は画像読取装置の概略垂直断面部分正面図である。なお、この実施形態の基本的な構成は先に説明した第１実施形態と同じであるので、第１実施形態と共通する構成要素には前と同じ名称、同じ符号を付してその詳細な説明を省略する場合がある。
【００９９】
第４実施形態の画像読取装置４０は、図７に示す連動部１００を備える。連動部１００は第１搬送読取部８０に近接して配置され、リンク部材１０１、接触部１０２、偏心カム１０３、ギア１０４及びラック１０５を備える。
【０１００】
リンク部材１０１は上下方向に、読取ユニット５０と原稿搬送ユニット６０とにわたるように延びる棒状を成す。リンク部材１０１の読取ユニット５０側の一端は読取ユニット５０の走査部５３に向かって延びる。リンク部材１０１の原稿搬送ユニット６０側の一端は第１搬送読取部８０のガイド部材８１の上方に向かって延びる。リンク部材１０１は長手方向の中間部に設けられた原稿幅方向（図７のＹ方向）に延びる支軸１０１ａを介して読取ユニット５０の上部に支持され、支軸１０１ａの軸線回りに回転可能である。
【０１０１】
接触部１０２は読取ユニット５０の走査部５３の第１移動体５３ａに設けられる。接触部１０２は第１移動体５３ａの移動に伴ってリンク部材１０１の読取ユニット５０側の端部に接触する。
【０１０２】
偏心カム１０３はガイド部材８１の上方に配置される。偏心カム１０３は原稿幅方向（図７のＹ方向）に延びる支軸１０３ａを介して原稿搬送ユニット６０の筐体に支持され、支軸１０３ａの軸線回りに回転可能である。ガイド部材８１が不図示の付勢部材によって上方に向かって付勢されているので、偏心カム１０３はそのカム面が常にガイド部材８１の上面に接触する。これにより、ガイド部材８１は偏心カム１０３のカム面の動きに伴って上下方向に移動する。
【０１０３】
ギア１０４は偏心カム１０３の支軸１０３ａにその軸線を一致させて固定される。偏心カム１０３はギア１０４とともに回転する。
【０１０４】
ラック１０５はガイド部材８１の上方に配置され、偏心カム１０３の支軸１０３ａが延びる方向と交差する原稿搬送方向（図７のＸ方向）に延びる。ラック１０５はギア１０４に係合する。そして、ラック１０５はその長手方向の一端がリンク部材１０１の原稿搬送ユニット６０側の端部に接触する。
【０１０５】
第１読取モードにおいて、走査部５３の第１移動体５３ａが搬送読取用コンタクトガラス５１ａ（第１搬送読取部８０）の下方に移動すると、連動部１００では接触部１０２がリンク部材１０１の読取ユニット５０側の端部に接触する。これにより、リンク部材１０１がその支軸１０１ａの軸線を中心として図７における時計回りに回転変位する。
【０１０６】
リンク部材１０１の原稿搬送ユニット６０側の端部側ではリンク部材１０１の回転変位に連動して、長手方向の一端がリンク部材１０１に接触するラック１０５が原稿搬送方向（図７のＸ方向）に移動する。これにより、ギア１０４を介して偏心カム１０３が回転し、そのカム面のカム面の動きに伴ってガイド部材８１が下方に移動する。ガイド部材８１は搬送読取用コンタクトガラス５１ａに接近し、搬送部７０で搬送される原稿を所定の読取位置に案内することができる。
【０１０７】
第２読取モードにおいて、走査部５３の第１移動体５３ａが載置読取用コンタクトガラス５１ｂ（図２参照）の下方に移動すると、連動部１００では接触部１０２がリンク部材１０１の読取ユニット５０側の端部から離隔する。リンク部材１０１には接触部１０２の接触による回転力が生じないので、その回転力がラック１０５、ギア１０４及び偏心カム１０３に伝達されない。これにより、ガイド部材８１は不図示の付勢部材の付勢力によって上方に移動する。ガイド部材８１が搬送読取用コンタクトガラス５１ａから離隔し、原稿マット６０ａが読取ユニット５０の原稿台５０ａに接近するとともに原稿に上方から圧して接触する。
【０１０８】
第４実施形態の画像読取装置４０によれば、連動部１００が走査部５３の第１移動体５３ａの読取位置への移動に連動してガイド部材８１を読取ユニット５０に接近させる。これにより、第１移動体５３ａの位置に基づいて第１読取モードまたは第２読取モードの状態に設定することが可能である。したがって、第１移動体５３ａの移動とともに自動的に、複数枚の原稿の画像を連続的に読み取る場合、１枚ずつ原稿の画像を読み取る場合のいずれにおいても原稿を適正な読取位置に導くことができ、また配置することができる。
【０１０９】
また、この画像読取装置４０によれば、ガイド部材８１を上下方向に移動させるための駆動源を削減することが可能である。したがって、画像読取装置４０の小型化、低コスト化を図ることができる。
【０１１０】
＜第５実施形態＞
次に、本発明の第５実施形態の画像読取装置について、図８を用いて説明する。図８は画像読取装置の概略垂直断面部分正面図である。なお、この実施形態の基本的な構成は先に説明した第１及び第２の実施形態と同じであるので、それら実施形態と共通する構成要素には前と同じ名称、同じ符号を付してその詳細な説明を省略する場合がある。
【０１１１】
第５実施形態の画像読取装置４０は、図８に示すローラ駆動部６４を備える。ローラ駆動部６４はモーターから成り、供給ローラ７２、レジストローラ対７４及び搬送ローラ７５を回転駆動する。ローラ駆動部６４は搬送部７０において原稿を搬送するためにこれらローラ群を一方にのみ回転させる。
【０１１２】
また、画像形成装置４０はローラ駆動部６４に加えて、伝達ギア１１１、１１２、ワンウェイクラッチ１１３、伝達ギア１１４、１１５、ワンウェイクラッチ１１６、ウォームギア１１７、偏心カム１１８及びギア１１９を備える。
【０１１３】
伝達ギア１１１、１１２は供給ローラ７２、レジストローラ対７４及び搬送ローラ７５回転させるためにローラ駆動部６４から動力を得る。ワンウェイクラッチ１１３は伝達ギア１１１の軸部に設けられる。伝達ギア１１１はローラ駆動部６４の駆動ギア６４ａに連結する。伝達ギア１１２はワンウェイクラッチ１１３を介して伝達ギア１１１に連結する。供給ローラ７２、レジストローラ対７４及び搬送ローラ７５は伝達ギア１１２に連結される。
【０１１４】
ワンウェイクラッチ１１３はローラ駆動部６４が正転した場合には伝達ギア１１２に動力を伝達し、ローラ駆動部６４が逆転した場合には伝達ギア１１２に動力を伝達しない構造を成している。これにより、ローラ駆動部６４が正転した場合のみ供給ローラ７２、レジストローラ対７４及び搬送ローラ７５が回転駆動し、原稿が搬送される。
【０１１５】
伝達ギア１１４、１１５はローラ駆動部６４と第１搬送読取部８０との間に配置されてローラ駆動部６４から動力を得る。ワンウェイクラッチ１１６は伝達ギア１１４の軸部に設けられる。伝達ギア１１４はローラ駆動部６４の駆動ギア６４ａに連結する。伝達ギア１１５はワンウェイクラッチ１１６を介して伝達ギア１１４に連結する。
【０１１６】
ウォームギア１１７は伝達ギア１１５の軸部にその軸線を一致させて固定される。ウォームギア１１７は伝達ギア１１５の回転に従って回転する。
【０１１７】
偏心カム１１８はガイド部材８１の上方に配置される。偏心カム１１８は原稿搬送方向（図８のＸ方向）に延びる支軸１１８ａを介して原稿搬送ユニット６０の筐体に支持され、支軸１１８ａの軸線回りに回転可能である。ガイド部材８１が不図示の付勢部材によって上方に向かって付勢されているので、偏心カム１１８はそのカム面が常にガイド部材８１の上面に接触する。これにより、ガイド部材８１は偏心カム１１８のカム面の動きに伴って上下方向に移動する。
【０１１８】
ギア１１９は偏心カム１１８の支軸１１８ａにその軸線を一致させて固定される。偏心カム１１８はギア１１９とともに回転する。さらに、ギア１１９はウォームギア１１７と係合する。
【０１１９】
ワンウェイクラッチ１１６はローラ駆動部６４が逆転した場合には伝達ギア１１５に動力を伝達し、ローラ駆動部６４が正転した場合には伝達ギア１１５に動力を伝達しない構造を成している。これにより、ローラ駆動部６４が逆転した場合のみガイド部材８１を読取ユニット５０の搬送読取用コンタクトガラス５１ａに対して接近、離隔させることが可能である。
【０１２０】
第５実施形態の画像読取装置４０によれば、供給ローラ７２、レジストローラ対７４及び搬送ローラ７５を駆動するためのローラ駆動部６４がガイド部材８１を読取ユニット５０に接近させる。これにより、ガイド部材８１を上下方向に移動させるための駆動源を削減することが可能である。したがって、画像読取装置４０の小型化、低コスト化を図ることができる。
【０１２１】
＜第６実施形態＞
次に、本発明の第６実施形態の画像読取装置について、図９及び図１０を用いて説明する。図９及び図１０は画像読取装置の第１読取モード時及び第２読取モード時の概略垂直断面部分正面図である。なお、この実施形態の基本的な構成は先に説明した第１及び第５の実施形態と同じであるので、それら実施形態と共通する構成要素には前と同じ名称、同じ符号を付してその詳細な説明を省略する場合がある。
【０１２２】
第６実施形態の画像読取装置４０は、図９及び図１０に示すガイド部材８１の上昇機構１２０を備える。上昇機構１２０は第１搬送読取部８０に近接して配置され、ハウジング１２１、レバー部材１２２及びばね１２３、１２４を備える。
【０１２３】
なお、第５実施形態同様、ガイド部材８１は不図示の付勢部材によって上方に向かって付勢される。偏心カム１１８のカム面がガイド部材８１の上面に接触し、ガイド部材８１は偏心カム１１８のカム面の動きに伴って上下方向に移動する。偏心カム１１８はその支軸１１８ａに固定されたギア１１９とともに回転する。ギア１１９は伝達ギア１１５の支軸１１５ａに固定されたウォームギア１１７と係合し、ウォームギア１１７を介して伝達ギア１１５から回転動力を得る。
【０１２４】
ハウジング１２１はガイド部材８１の原稿搬送方向（図９のＸ方向）に隣接して配置される。ハウジング１２１はばね１２３、１２４をその内部に収容する。また、ハウジング１２１はレバー部材１２２の少なくとも係止片１２２ａより上側をその内部に収容する。さらに、伝達ギア１１５の原稿幅方向（図９のＹ方向）に延びる支軸１１５ａがハウジング１２１の内部を通る。
【０１２５】
レバー部材１２２は上下方向に延びる長手状を成し、その上下方向の略中間部に横方向に延びる係止片１２２ａを備える。レバー部材１２２は係止片１２２ａがハウジング１２１の内底面に引っ掛かるようにハウジング１２１に取り付けられる。なお、係止片１２２ａはハウジング１２１の内部を通る伝達ギア１１５の支軸１１５ａよりも下方に位置する。さらに、レバー部材１２２の下部は原稿搬送ユニット６０の下面より下方に突出し、原稿搬送ユニット６０による原稿台５０ａの表面の閉鎖時にその下端が読取ユニット５０の上面に接触する。
【０１２６】
ばね１２３はハウジング１２１の内部に収容される。ばね１２３は例えば圧縮コイルばねで構成され、軸心をレバー部材１２２の係止片１２２ａよりも上側が貫通するとともに上下方向に延びる。ばね１２３はハウジング１２１の天井面とレバー部材１２２の係止片１２２ａとの間に挟まれ、圧縮による弾性力を作用させる。すなわち、ばね１２３はレバー部材１２２を下方に向けて付勢する。
【０１２７】
ばね１２４はハウジング１２１の内部に収容される。ばね１２４は例えば圧縮コイルばねで構成され、伝達ギア１１５の支軸１１５ａの下部とレバー部材１２２の係止片１２２ａの上面との間に挟まれ、圧縮による弾性力を作用させる。すなわち、ばね１２４は伝達ギア１１５の支軸１１５ａを上方に向けて付勢する。
【０１２８】
第１読取モードにおいて、図９に示すように原稿搬送ユニット６０が閉鎖状態にある場合、レバー部材１２２の下端が読取ユニット５０の上面に接触することで、レバー部材１２２がばね１２３の弾性力に抗して上側に移動する。レバー部材１２２の係止片１２２ａの上昇に伴ってばね１２４の弾性力が強まることで、伝達ギア１１５の支軸１１５ａが上方に移動する。
【０１２９】
伝達ギア１１５の支軸１１５ａが上昇すると、ウォームギア１１７とギア１１９とが係合する。これにより、偏心カム１１８はウォームギア１１７及びギア１１９を介して伝達ギア１１５から動力を得ることができる。すなわち、偏心カム１１８を回転させることで、ガイド部材８１を読取ユニット５０の搬送読取用コンタクトガラス５１ａに接近させることが可能である。
【０１３０】
第２読取モードにおいて、図１０に示すように原稿搬送ユニット６０が開放状態にある場合、レバー部材１２２の下端が読取ユニット５０から離隔することで、レバー部材１２２がばね１２３の弾性力によって下側に移動する。レバー部材１２２の係止片１２２ａの下降に伴ってばね１２４の弾性力が弱まることで、伝達ギア１１５の支軸１１５ａが下方に移動する。
【０１３１】
伝達ギア１１５の支軸１１５ａが下降すると、ウォームギア１１７とギア１１９との係合が解除される。これにより、偏心カム１１８が自由に回転できるので、ガイド部材８１を上方に向かって付勢する不図示の付勢部材の作用によって、ガイド部材８１は上昇する。すなわち、ガイド部材８１を読取ユニット５０の搬送読取用コンタクトガラス５１ａから離隔させることが可能である。
【０１３２】
第６実施形態の画像読取装置４０によれば、ガイド部材８１の上昇機構１２０のレバー部材１２２が原稿搬送ユニット６０による原稿台６０ａの表面の開放、閉鎖に連動して上下方向に変位することでガイド部材８１を読取ユニット５０から離隔させる。これにより、モーター等の駆動部を利用することなく、簡便な構成で第２読取モード時にガイド部材８１を読取ユニット５０から離隔させることが可能である。したがって、画像読取装置４０の簡素化を図ることができる。さらに、第２読取モードへの移行時間の短縮化を図ることができる。
【０１３３】
＜第７実施形態＞
次に、本発明の第７実施形態の画像読取装置について、図１１を用いて説明する。図１１は画像読取装置の概略垂直断面正面図である。なお、この実施形態の基本的な構成は先に説明した第１実施形態と同じであるので、第１実施形態と共通する構成要素には前と同じ名称、同じ符号を付してその詳細な説明を省略する場合がある。図１１は第１実施形態の説明で用いた図２と比較して一部の部材の描画を省略している。
【０１３４】
第７実施形態の画像読取装置４０は、図１１に示す原稿搬送ユニット６０が重り部材６８を備える。
【０１３５】
原稿搬送ユニット６０は原稿搬送方向の一端側、すなわち図１１におけるＸ方向の左側（正面視左側）の領域に配置された搬送部７０を有する。さらに、原稿搬送ユニット６０は原稿搬送方向の他端側、すなわち図１１におけるＸ方向の右側（正面視右側）の領域に配置された重り部材６８を有する。重り部材６８の重さは原稿マット６０ａの下面と原稿台５０ａの上面とが平行になるよう調整される。
【０１３６】
原稿搬送ユニット６０は比較的重い重量物である搬送部７０が正面視左側に配置されていることで、正面視左側が下がる形で傾斜する虞がある。これにより、特に第２読取モードにおいて、原稿マット６０ａによる原稿への加圧が不均一になることが懸念される。
【０１３７】
しかしながら、第７実施形態の画像読取装置４０によれば、原稿搬送ユニット６０が正面視右側に重り部材６８を備えるので、原稿マット６０ａの下面と原稿台５０ａの上面との平行を維持することが可能である。したがって、原稿マット６０ａの全面で均一に加圧しながら、原稿マット６０ａを原稿に密着させることができる。すなわち、第２読取モードにおいて１枚ずつ原稿の画像を読み取る場合に、原稿を適正な読取位置に配置することが可能になる。
【０１３８】
＜第８実施形態＞
次に、本発明の第８実施形態の画像読取装置について、図１２を用いて説明する。図１２は画像読取装置の概略垂直断面正面図である。なお、この実施形態の基本的な構成は先に説明した第１実施形態と同じであるので、第１実施形態と共通する構成要素には前と同じ名称、同じ符号を付してその詳細な説明を省略する場合がある。図１２は第１実施形態の説明で用いた図２と比較して一部の部材の描画を省略している。
【０１３９】
第８実施形態の画像読取装置４０は、図１２に示す原稿搬送ユニット６０が原稿マット６０ａを備える。
【０１４０】
原稿搬送ユニット６０は原稿搬送方向の一端側、すなわち図１２におけるＸ方向の左側（正面視左側）の領域に配置された搬送部７０を有する。原稿マット６０ａは原稿搬送方向の他端側、すなわち図１２におけるＸ方向の右側（正面視右側）から搬送部７０に近づくに従ってその厚みが薄くなる。原稿マット６０ａの原稿搬送方向に沿った厚みの変化は原稿マット６０ａの下面と原稿台５０ａの上面とが平行になるよう調整される。
【０１４１】
原稿搬送ユニット６０は比較的重い重量物である搬送部７０が正面視左側に配置されていることで、正面視左側が下がる形で傾斜する虞がある。これにより、特に第２読取モードにおいて、原稿マット６０ａによる原稿への加圧が不均一になることが懸念される。
【０１４２】
しかしながら、第８実施形態の画像読取装置４０によれば、原稿搬送ユニット６０が原稿搬送方向に沿ってその厚みが変化する原稿マット６０ａを備えるので、原稿マット６０ａの下面と原稿台５０ａの上面との平行を維持することが可能である。したがって、原稿マット６０ａの全面で均一に加圧しながら、原稿マット６０ａを原稿に密着させることができる。すなわち、第２読取モードにおいて１枚ずつ原稿の画像を読み取る場合に、原稿を適正な読取位置に配置することが可能になる。
【０１４３】
以上、本発明の実施形態につき説明したが、本発明の範囲はこれに限定されるものではなく、発明の主旨を逸脱しない範囲で種々の変更を加えて実施することができる。
【０１４４】
例えば、上記実施形態のいくつかを組み合わせて適用することができる。
【０１４５】
また、上記実施形態では画像形成装置１が中間転写ベルト１１を用いて複数色の画像を順次重ねて形成する所謂タンデム型のカラー印刷用画像形成装置であるが、このような機種に限定されるわけではなく、タンデム型ではないカラー印刷用画像形成装置やモノクロ印刷用の画像形成装置であっても構わない。
【産業上の利用可能性】
【０１４６】
本発明は画像読取装置及び画像形成装置において利用可能である。
【符号の説明】
【０１４７】
１    画像形成装置
４０    画像読取装置
５０    読取ユニット
５０ａ    原稿台
５３    走査部
５３ａ    第１移動体
５３ｂ    第２移動体
６０    原稿搬送ユニット（開閉ユニット）
６０ａ    原稿マット
６１    給紙トレイ
６４    ローラ駆動部（駆動部）
６６    原稿検知部
６７    開閉検知部
６８    重り部材
７０    搬送部
８０    第１搬送読取部
８１    ガイド部材
１００    連動部
１２０    上昇機構
１２２    レバー部材
【図１】
2017152876.tif 000003
【図２】
2017152876.tif 000004
【図３】
2017152876.tif 000005
【図４】
2017152876.tif 000006
【図５】
2017152876.tif 000007
【図６】
2017152876.tif 000008
【図７】
2017152876.tif 000009
【図８】
2017152876.tif 000010
【図９】
2017152876.tif 000011
【図１０】
2017152876.tif 000012
【図１１】
2017152876.tif 000013
【図１２】
2017152876.tif 000014